(57)【要約】【課題】靴や服を付けて日中アスファルトの上を散歩しても、犬猫等のペットの足裏が火傷したり、犬猫等のペットが熱射病にならないペット用靴及び服を作る。【解決の手段】犬猫等の足１を入れる通気性の良い袋４の内側の底部に犬猫等の足１を乗せる発泡ゴム等でできた板状の断熱材５を取り付け、靴に放熱装置３を取り付け、犬猫等の足１を入れる通気性の良い袋４の外側底部に発泡ゴム等でできた断熱材２の靴底部を取り付け、犬猫等の足１を入れる通気性の良い袋４はアスファルト等の熱や外気の熱を反射する金属繊維布等の熱反射効果の高い繊維でできているペット用靴、及び、犬猫等の体を入れる通気性の良い服８はアスファルト等の熱や外気の熱を反射する金属繊維布等の熱反射効果の高い繊維でできているペット用服。【選択図】　　図２
2004049208.tif 000002
【特許請求の範囲】
【請求項１】
犬猫等の足に履かせる靴で、犬猫等の足１を入れる通気性の良い袋４の内側の底部に犬猫等の足１を乗せる発泡ゴム等でできた板状の断熱材５を取り付け、犬猫等の足１を入れる通気性の良い袋４の内側は綿布等の断熱効果の高い繊維でできていて、犬猫等の足１を入れる通気性の良い袋４の外側は外気の熱を反射する金属繊維布等の熱反射効果の高い繊維でできていて、通気性の良い袋４の外側に結合式を取り付けて、ベルトや紐７に結合式を取り付けて犬猫等の足１に袋４を固定できるようにし、又はベルトや紐７を結んで犬猫等の足１に袋４を固定できるようにし、犬猫等の足１を入れる通気性の良い袋４の外側に放熱装置３を取り付け、放熱装置３は金属等の熱伝導率の大きい材料でできていて、放熱装置３は波板状又は網状にして表面積を大きくして放熱効率を高め、犬猫等の足１を入れる通気性の良い袋４の外側の底部に靴底部である発泡ゴム等でできた断熱材２を取り付け、靴底部である発泡ゴム等でできた断熱材２の外側の底面及び周囲を滑り止め加工として凹凸状にした、以上のことを特徴とするペット用靴。
【請求項２】
犬猫等の足に履かせる靴で、犬猫等の足１を入れる通気性の良い袋４の内側の底部に犬猫等の足１を乗せる発泡ゴム等でできた板状の断熱材５を取り付け、犬猫等の足１を入れる通気性の良い袋４の内側は綿布等の断熱効果の高い繊維でできていて、犬猫等の足１を入れる通気性の良い袋４の外側は外気の熱を反射する金属繊維布等の熱反射効果の高い繊維でできていて、通気性の良い袋４の外側に結合式を取り付けて、ベルトや紐７に結合式を取り付けて犬猫等の足１に袋４を固定できるようにし、又はベルトや紐７を結んで犬猫等の足１に袋４を固定できるようにし、犬猫等の足１を入れる通気性の良い袋４の外側の底部に靴底部である発泡ゴム等でできた断熱材２を取り付け、靴底部である発泡ゴム等でできた断熱材２の外側の底面及び周囲を滑り止め加工として凹凸状にした、以上のことを特徴とするペット用靴。
【請求項３】
犬猫等の足に履かせる靴で、犬猫等の足１を入れる通気性の良い袋４の内側の底部に犬猫等の足１を乗せる発泡ゴム等でできた板状の断熱材５を取り付け、犬猫等の足１を入れる通気性の良い袋４は外気の熱を反射する金属繊維布等の熱反射効果の高い繊維でできていて、通気性の良い袋４の外側に結合式を取り付けて、ベルトや紐７に結合式を取り付けて犬猫等の足１に袋４を固定できるようにし、又はベルトや紐７を結んで犬猫等の足１に袋４を固定できるようにし、犬猫等の足１を入れる通気性の良い袋４の外側の底部に靴底部である発泡ゴム等でできた断熱材２を取り付け、靴底部である発泡ゴム等でできた断熱材２の外側の底面及び周囲を滑り止め加工として凹凸状にした、以上のことを特徴とするペット用靴。
【請求項４】
犬猫等に着せる服で、犬猫等の体を入れる通気性の良い服８に放熱装置９を取り付け、放熱装置９は金属等の熱伝導率の大きい材料でできていて、放熱装置は波板状又は網状にして表面積を大きくして放熱効果を高め、犬猫等の体を入れる通気性の良い服８の内側は綿布等の断熱効果の高い繊維でできていて、犬猫等の体を入れる通気性の良い服８の外側は外気の熱を反射する金属繊維布等の熱反射効果の高い繊維でできている、以上のことを特徴とするペット用服。
【請求項５】
犬猫等に着せる服で、犬猫等の体を入れる通気性の良い服８の内側は綿布等の断熱効果の高い繊維でできていて、犬猫等の体を入れる通気性の良い服８の外側は外気の熱を反射する金属繊維布等の熱反射効果の高い繊維でできている、以上のことを特徴とするペット用服。
【請求項６】
犬猫等に着せる服で、犬猫等の体を入れる通気性の良い服８は外気の熱を反射する金属繊維布等の熱反射効果の高い繊維でできている、以上のことを特徴とするペット用服。
【発明の詳細な説明】
【０００１】
【発明の属する技術分野】
犬猫等のペット用靴及び服の技術。
【０００２】
【従来の技術】
犬猫等のペットの靴や服には放熱装置がなく、靴底に断熱効果の高い断熱材も無く、また靴や服の表面の布がアスファルトの熱や外気の熱を反射する熱反射効果の高い繊維で作られていないので、従来の靴や服を付けさせて日中アスファルトの上を散歩すると、犬猫等のペットの足裏が火傷したり、犬猫等が熱射病になってしまうことが多い。
【０００３】
【発明が解決しようとする課題】
靴や服を付けて日中アスファルトの上を散歩しても、犬猫等のペットの足裏が火傷したり、犬猫等のペットが熱射病にならないペット用靴及び服を作る。
【０００４】
【課題を解決するための手段】
犬猫等の足１を入れる通気性の良い袋４の内側の底部に犬猫等の足１を乗せる発泡ゴム等でできた板状の断熱材５を取り付け、靴に放熱装置３を取り付け、犬猫等の足１を入れる通気性の良い袋４の外側底部に発泡ゴム等でできた断熱材２の靴底部を取り付け、犬猫等の足１を入れる通気性の良い袋４はアスファルト等の熱や外気の熱を反射する金属繊維布等の熱反射効果の高い繊維でできているペット用靴、及び、犬猫等の体を入れる通気性の良い服８はアスファルト等の熱や外気の熱を反射する金属繊維布等の熱反射効果の高い繊維でできているペット用服。
【０００５】
【発明の実施の形態】
犬猫等の足に履かせる靴で、犬猫等の足１を入れる通気性の良い袋４の内側の底部に犬猫等の足１を乗せる発泡ゴム等でできた板状の断熱材５を取り付け、犬猫等の足１を入れる通気性の良い袋４の内側は綿布等の断熱効果の高い繊維でできていて、犬猫等の足１を入れる通気性の良い袋４の外側は靴の外側の周囲の熱を反射する金属繊維布等の熱反射効果の高い繊維でできていて、ベルトや紐７に結合式を取り付けて犬猫等の足１に袋４を固定できるようにし、又はベルトや紐７を結んで犬猫等の足１に袋４を固定できるようにし、犬猫等の足１を入れる通気性の良い袋４の外側の底部に放熱装置３を取り付け、放熱装置３は金属等の熱伝導率の大きい材料でできていて、放熱装置３は波板状又は網状にして表面積を大きくして放熱効率を高め、放熱装置３の下側に靴底部である発泡ゴム等でできた断熱材２を取り付け、靴底部である発泡ゴム等でできた断熱材２の外側の底面及び周囲を滑り止め加工として凹凸状にし、放熱装置３で靴底部を越えて路面から伝わって来る熱を空気中に放散し、以上のことを特徴とするペット用靴、及び、犬猫等に着せる服で、犬猫等の体を入れる通気性の良い服８に放熱装置９を取り付け、放熱装置９は金属等の熱伝導率の大きい材料でできていて、放熱装置は波板状又は網状にして表面積を大きくして放熱効果を高め、犬猫等の体を入れる通気性の良い服８の内側は綿布等の断熱効果の高い繊維でできていて、犬猫等の体を入れる通気性の良い服８の外側は服の外側の周囲の熱を反射する金属繊維布等の熱反射効果の高い繊維でできている、以上のことを特徴とするペット用服。
【０００６】
【実施例】
犬猫等の足に履かせる靴で、犬猫等の足１を入れる通気性の良い袋４の内側の底部に犬猫等の足１を乗せる発泡ゴム等でできた板状の断熱材５を取り付け、犬猫等の足１を入れる通気性の良い袋４の内側は綿布等の断熱効果の高い繊維でできていて、犬猫等の足１を入れる通気性の良い袋４の外側は外気の熱を反射する金属繊維布等の熱反射効果の高い繊維でできていて、犬猫等の足１を入れる袋４の上部に穴６を開け、穴６にベルトや紐７を通し、ベルトや紐７に結合式を取り付けて犬猫等の足１に袋４を固定できるようにし、又はベルトや紐７を結んで犬猫等の足１に袋４を固定できるようにし、犬猫等の足１を入れる通気性の良い袋４の外側の底部に靴底部である発泡ゴム等でできた断熱材２を取り付け、靴底部である発泡ゴム等でできた断熱材２の外側の底面及び周囲を滑り止め加工として凹凸状にした、以上のことを特徴とするペット用靴、及び、犬猫等に着せる服で、犬猫等の体を入れる通気性の良い服８の内側は綿布等の断熱効果の高い繊維でできていて、犬猫等の体を入れる通気性の良い服８の外側は外気の熱を反射する金属繊維布等の熱反射効果の高い繊維でできている、以上のことを特徴とするペット用服。
【０００７】
【発明の効果】
靴や服を付けて日中アスファルトの上を散歩しても、犬猫等のペットの足裏が火傷しない、犬猫等のペットが熱射病にならないペット用靴及び服ができる。
【図面の簡単な説明】
【図１】犬猫等の足１を入れる通気性の良い袋４の内側は綿布等の断熱効果の高い繊維でできていて、犬猫等の足１を入れる通気性の良い袋４の外側は外気の熱を反射する金属繊維布等の熱反射効果の高い繊維でできていて、犬猫等の足１を入れる通気性の良い袋４の内側の底部に犬猫等の足１を乗せる発泡ゴム等でできた板状の断熱材５を取り付け、犬猫等の足１を入れる袋４の上部に穴６を開け、穴６にベルトや紐７を通し、ベルトや紐７に結合式を取り付けて犬猫等の足１に袋４を固定できるようにし、又はベルトや紐７を結んで犬猫等の足１に袋４を固定できるようにし、犬猫等の足１を入れる通気性の良い袋４の外側の底部に靴底部周囲より広く大きい放熱装置３を靴底部周囲よりはみ出して取り付け、靴底部周囲よりはみ出た放熱装置３は上に曲げて取り付け、放熱装置３は金属等の熱伝導率の大きい材料でできていて、放熱装置３は波板状又は網状にして表面積を大きくして放熱効率を高め、放熱装置３の下側に靴底部である発泡ゴム等でできた断熱材２を取り付け、靴底部である発泡ゴム等でできた断熱材２の外側の底面及び周囲を滑り止め加工として凹凸状にしたペット用靴。図１−１断面図はペット用靴に犬猫等の足を入れた状態。図１−２断面図はペット用靴に犬猫等の足を入れて、ベルトや紐で縛った状態。
【図２】犬猫等の足１を入れる通気性の良い袋４の内側の底部に犬猫等の足１を乗せる発泡ゴム等でできた板状の断熱材５を取り付け、犬猫等の足１を入れる通気性の良い袋４の内側は綿布等の断熱効果の高い繊維でできていて、犬猫等の足１を入れる通気性の良い袋４の外側は外気の熱を反射する金属繊維布等の熱反射効果の高い繊維でできていて、袋４に面ファスナ１０を取り付けて、ベルトや紐７に面ファスナ１０を取り付けて犬猫等の足１に袋４を固定できるようにし、犬猫等の足１を入れる通気性の良い袋４の外側の底部に靴底部である発泡ゴム等でできた断熱材２を取り付けたペット用靴。
【図３】犬猫等の体を入れる通気性の良い服８の内側は綿布等の断熱効果の高い繊維でできていて、犬猫等の体を入れる通気性の良い服８の外側は外気の熱を反射する金属繊維布等の熱反射効果の高い繊維でできているペット用服。
【図４】犬猫等の体を入れる通気性の良い服８の内側は綿布等の断熱効果の高い繊維でできていて、犬猫等の体を入れる通気性の良い服８の外側は外気の熱を反射する金属繊維布等の熱反射効果の高い繊維でできていて、通気性の良い服８の外側に放熱装置９を取り付けたペット用服。
【符号の説明】
１　　　　犬猫等の足
２　　　　発泡ゴム等でできた断熱材
３，９　　放熱装置
４　　　　犬猫等の足１を入れる通気性の良い袋
５　　　　犬猫等の足１を乗せる発泡ゴム等でできた板状の断熱材
６　　　　穴
７　　　　ベルトや紐
８　　　　服
１０　　　面ファスナ
【図１】
2004049208.tif 000003
【図２】
2004049208.tif 000004
【図３】
2004049208.tif 000005
【図４】
2004049208.tif 000006
【手続補正書】
【提出日】平成14年12月26日(2002.12.26)
【手続補正１】
【補正対象書類名】明細書
【補正対象項目名】特許請求の範囲
【補正方法】変更
【補正の内容】
【特許請求の範囲】
【請求項１】
犬猫等に着せる服で、犬猫等の体を入れる通気性の良い服８に放熱装置９を取り付け、放熱装置９は金属等の熱伝導率の大きい材料でできていて、放熱装置は波板状又は網状にして表面積を大きくして放熱効果を高め、犬猫等の体を入れる通気性の良い服８の内側は綿布等の断熱効果の高い繊維でできていて、犬猫等の体を入れる通気性の良い服８の外側は外気の熱を反射する金属繊維布等の熱反射効果の高い繊維でできている、以上のことを特徴とするペット用服。
【請求項２】
犬猫等に着せる服で、犬猫等の体を入れる通気性の良い服８の内側は綿布等の断熱効果の高い繊維でできていて、犬猫等の体を入れる通気性の良い服８の外側は外気の熱を反射する金属繊維布等の熱反射効果の高い繊維でできている、以上のことを特徴とするペット用服。